(57)【要約】【課題】  カラオケ施設におけるカラオケルーム内のインターホン子機に着信があった場合に、大音量で歌唱中であっても、呼出音が聞き取りやすくかつ、通話がしやすい状態を作ることができるカラオケ施設用インターホンシステムを提供する。【解決手段】各カラオケルーム１０１に設置された子機３と、子機３と接続された親機２と、子機３と通信可能なカラオケ装置４と、から構成され、子機３が、親機２との通信状態をカラオケ装置４に通知する通信状態通知手段を備え、カラオケ装置４が、通信状態通知手段からの通知に応じて出力音量を調整する音量調整手段を備える。子機３は親機２からの着信を受けた場合、カラオケ装置４に対して着信通知をする。カラオケ装置４は着信通知に応じてカラオケの出力音量を下げ、状態を維持し、その後、子機３から発せられた終話通知に応じて出力音量の回復をする。【選択図】図５
2020167543.tif 000002
【特許請求の範囲】
【請求項１】
カラオケ施設内の各カラオケルームに設置された子機と、
前記子機とインターホン回線を介して接続された親機と、
前記子機と通信可能なカラオケ装置と、を含んで構成されるカラオケ施設用インターホンシステムであって、
前記子機が、前記親機との通信状態を前記カラオケ装置に通知する通信状態通知手段を備え、
前記カラオケ装置が、前記通信状態通知手段からの通知に応じて出力音量を調整する音量調整手段を備えたことを特徴とするカラオケ施設用インターホンシステム。
【請求項２】
前記通信状態通知手段が、前記親機からの着信を前記カラオケ装置に通知する着信通知手段を備え、
前記音量調整手段は、前記着信通知手段からの通知に応じて出力音量を下げる請求項１に記載のカラオケ施設用インターホンシステム。
【請求項３】
前記通信状態通知手段が、前記子機と前記親機との通話の終了を前記カラオケ装置に通知する終話通知手段を備え、
前記音量調整手段は、前記終話通知手段からの通知に応じて出力音量を回復させる請求項１及び２に記載のカラオケ施設用インターホンシステム。
【請求項４】
前記カラオケ装置が、映像を表示するモニタを備え、
前記音量調整手段は、出力音量を調整するという案内を表示する案内表示手段を備え、
前記案内表示手段は、前記着信通知手段からの通知に応じて前記モニタに案内を表示する請求項１〜３に記載のカラオケ施設用インターホンシステム。
【請求項５】
前記音量調整手段は、前記案内が前記モニタに表示されてから所定の時間が経過した後に出力音量を調整する請求項４に記載のカラオケ施設用インターホンシステム。
【請求項６】
前記通信状態通知手段が、前記子機から前記親機への発信を前記カラオケ装置に通知する発信通知手段を備え、
前記音量調整手段は、前記発信通知手段からの通知に基づいて出力音量を下げる請求項１〜５に記載のカラオケ施設用インターホンシステム。
【発明の詳細な説明】
【技術分野】
【０００１】
本発明は、カラオケ施設において、受付とカラオケルームとの間における呼出や通話を行うカラオケ施設用インターホンシステムに関するものである。
【背景技術】
【０００２】
カラオケ装置を使用して歌唱することができる複数のカラオケルームを有するカラオケ施設において、各カラオケルームを管理する受付と各カラオケルームとの間でインターホンを利用した通話により管理者と客が必要なやりとりを取り交わすことが一般的である。当然、インターホンを使用するにはインターホン周囲の音量が小さい方が、呼出音も容易に認知できるし通話もしやすいが、カラオケルームにおいては演奏や歌唱のカラオケ音量を大音量にすることで大いに盛り上がることができるので、一般的に室内の騒音レベルは高くなりがちである。
【０００３】
そのため、インターホンの呼出音が聞きにくくなる。このような課題を解決するべく、例えば、特許文献１では、カラオケ施設内にインターホンが接続され、カラオケルームに設置されたカラオケ演奏装置にスピーカより出力される演奏楽曲の音量が調節される際に音量レベル信号を出力する信号出力手段を備えており、ルームインターホンが当該外部端子より音量レベル信号を受信し、呼出音量の設定を当該音量レベル信号に基づいて調整する構成が紹介されている。
【０００４】
しかし、この構成によれば、カラオケ装置の大きな音量に比例して呼出音量レベルも大きく設定されることとなるので、インターホンが呼び出された際に突然大きな呼出音が発生することになる。また、インターホンによる通話時には引き続き大きなカラオケ音量のために通話がしにくい事態も生じうる。
【先行技術文献】
【特許文献】
【０００５】
【特許文献１】特開２００６−３３９８２９号公報
【発明の概要】
【発明が解決しようとする課題】
【０００６】
本発明は、前記問題点に鑑みてなされたものであり、その目的は、カラオケ施設におけるカラオケルーム内のインターホン子機に着信があった場合に、大音量で歌唱中であっても、呼出音が聞き取りやすくかつ、通話がしやすい状態を作ることができるカラオケ施設用インターホンシステムを提供することにある。
【課題を解決するための手段】
【０００７】
上記課題を解決するために、本発明のカラオケ施設用インターホンシステムは、カラオケ施設内の各カラオケルームに設置された子機と、子機とインターホン回線を介して接続された親機と、子機と通信可能なカラオケ装置と、を含んで構成されるカラオケ施設用インターホンシステムであって、子機が、親機との通信状態を前記カラオケ装置に通知する通信状態通知手段を備え、カラオケ装置が、通信状態通知手段からの通知に応じて出力音量を調整する音量調整手段を備えたことを特徴とする。
【０００８】
通信状態通知手段は、親機からの着信をカラオケ装置に通知する着信通知手段を備えており、音量調整手段は、着信通知手段からの通知に応じて出力音量を下げる。また、通信状態通知手段は、子機と親機との通話の終了をカラオケ装置に通知する終話通知手段も備えており、音量調整手段は、終話通知手段からの通知に応じて出力音量を回復させる。
【０００９】
カラオケ装置は映像を表示するモニタを備えており、音量調整手段は、出力音量を調整するという案内を表示する案内表示手段を備えている。音量調整通知手段は、着信通知手段からの通知に応じてモニタに案内を表示する。さらに、音量調整手段は、モニタに案内が表示されてから所定の時間が経過した後に音量を調整することもできる。
【００１０】
通信状態通知手段には、子機から親機への発信をカラオケ装置に通知する発信通知手段も備えており、音量調整手段は、発信通知手段からの通知に基づいて出力音量を下げる。
【発明の効果】
【００１１】
本発明のカラオケ施設用インターホンシステムによれば、カラオケルームの子機が、親機との通信状態に基づいてカラオケ装置の出力音量を調整するので、インターホンを使用するに適した状態を適宜実現することができる。即ち、親機からの着信があった場合には、カラオケ装置の出力音量を下げることで呼出音が聞き取りやすく、かつ、インターホンシステムを使用した通話が聞き取りやすい状態を作ることができる。また、インターホンでの通話が終了した際にはカラオケ装置の出力音量を回復させるので、繁雑な操作を経ずとも歌唱に戻ることができる。
【００１２】
また、カラオケ装置のモニタに音量が調整される案内（主に、音量が下がること）が表示されたり、その後所定時間経過後に音量調整が行われることで、カラオケルームの客が突然の音量変化に困惑したり驚いたりすることを防止することもできる。
【００１３】
さらに、カラオケルーム側から受付にインターホンを使用した通話を発信する際にもカラオケ装置の出力音量を下げることで、インターホンシステムを使用した通話が聞き取りやすい状態を作ることができる。
【図面の簡単な説明】
【００１４】
【図１】図１は、本実施形態のカラオケ施設用インターホンシステムの構成を示す概略図である。
【図２】図２は、本実施形態のカラオケ施設用インターホンシステムの構成を示すブロック図である。
【図３】図３は、親機から子機が呼び出された際の親機と子機とカラオケ装置の動作を示すシーケンス図である。
【図４】図４は、親機から子機が呼び出された際の親機と子機とカラオケ装置とモニタの動作を示すシーケンス図である。
【図５】図５は、親機から子機が呼出された状態のカラオケルームの様子を示す図である。
【図６】図６は、図４の変更実施例を示すシーケンス図である。
【図７】図７は、子機から親機が呼び出された際の親機と子機とカラオケ装置の動作を示すシーケンス図である。
【図８】図８は、本発明の変更実施例を示す概略図である。
【発明を実施するための形態】
【００１５】
以下、本発明の実施形態を図面に基づいて詳細に説明する。図１は本実施形態のカラオケ施設用インターホンシステム１の概略を示す。本実施形態のカラオケ施設用インターホンシステム１は複数のカラオケルーム１０１を有しており、受付１０２において運営管理をするカラオケ施設１００において使用される。
【００１６】
カラオケ施設１００の受付１０２には親機２が設置され、各カラオケルーム１０１には、それぞれ子機３とカラオケ装置４が設置されている。親機２と各カラオケルーム１０１の子機３はそれぞれインターホン回線で接続されており、それぞれの子機３とカラオケ装置４は通信線で接続されている。
【００１７】
カラオケ施設１００の管理者Ｐ１は、各カラオケルーム１０１の客Ｐ２に連絡を取るために親機２から子機３への通話を発信することができ、一方、各カラオケルーム１０１の客Ｐ２は受付１０２に所在している管理者Ｐ１に連絡を取るために子機３から親機２へ通話を発信することができる。
【００１８】
図２は、本実施形態のカラオケ施設用インターホンシステム１の構成を示すブロック図である。受付１０２に設置された親機２はＣＰＵ２１により制御され、通話に必要なマイク２２及びスピーカ２３と、各カラオケルーム１０１のそれぞれの子機３を呼び出すための呼出ボタン２４と、どのカラオケルーム１０１の子機３からの呼出かが分かる着信表示灯２５と、インターホン回線を介して子機３と通信するためのインターフェース２６と、を備えている。
【００１９】
カラオケルーム１０１に設置された子機３はＣＰＵ３１により制御され、通話に必要なマイク３２及びスピーカ３３と、受話器を子機３から持ち上げると親機２への呼出を開始するフックボタン３４と、子機３と親機２の通信状態をカラオケ装置４へ通知する通知部３５と、インターホン回線を介して親機２と通信するためのインターフェース３６と、通信線を介してカラオケ装置４と通信するためのインターフェース３７と、を備えている。
【００２０】
カラオケルーム１０１に設置されたカラオケ装置４はＣＰＵ４１により制御され、歌唱する際に音声を入力するマイク４２と、カラオケ演奏や音声を出力するスピーカ４３と、歌詞や環境映像等を表示するモニタ４４と、スピーカ４３から出力する音量を調整する音量調整部４５と、通信線を介して子機３と通信するためのインターフェース４６と、カラオケ演奏や歌唱音声の調整・制御・情報処理に必要な操作部４７、通信部４８、映像処理部４９及びメモリ５０等を備えている。
【００２１】
次に、上記構成のカラオケ施設用インターホンシステム１の動作について説明する。図３に示すように、まず、親機２は呼出ボタン２４を押すことにより子機３を呼び出す。親機２から呼び出された子機３は、カラオケルーム１０１内の客Ｐ２に知らせるために呼出音を発生させると同時に、通知部３５からカラオケ装置４の音量調整部４５に対して、着信通知をする。
【００２２】
着信通知を受けた音量調整部４５は、スピーカ４３から出力されている演奏や歌唱の出力音量を所定の音量レベルまで下げる。通常、カラオケルーム内でのカラオケによる音の音圧レベルは店内客席中央において９０デシベル程度といわれているので、呼び出し音が聞きやすくなる５０〜７０デシベル程度、好ましくは５５デシベル程度にまで出力音量を下げることが望ましい。これにより、カラオケルーム１０１内は客Ｐ２が大音量でカラオケ中であったとしても子機３の呼出音を聴取できる程度にまで音量レベルが下がることから、容易に親機２からの呼出を把握することができる。
【００２３】
呼出音に気づいた客Ｐ２が子機３の受話器を取り上げることにより、フックボタン３４がフックアップされ呼出音が停止し、子機３と親機２との通話が開始される。この際、カラオケ装置４の出力音量は下がったままの状態が継続される。これにより、親機２と子機３の通話中、聞き取りやすく会話しやすい状態をカラオケルーム１０１内に実現することができる。
【００２４】
親機２と子機３の通話が終了すると子機３の受話器が元に戻されフックボタン３４がフックオンの状態に戻る。これにより子機３は通話の終了を検出し、通知部３５からカラオケ装置４の音量調整部４５に対して、終話通知をする。
【００２５】
終話通知を受けた音量調整部４５は、スピーカ４３の出力音量を着信通知以前の音量レベルにまで回復させる。これにより、特別な操作を必要とせずにカラオケルーム１０１内のカラオケの音量が戻り、着信以前の状態に戻すことができる。
【００２６】
上記のカラオケ施設用インターホンシステム１の動作に加えて、モニタ４４を利用して音量レベルを下げることを客Ｐ２に案内する構成にすることもできる。図４に示すように、子機３の通知部３５からカラオケ装置４の音量調整部４５に着信通知がされると、音量調整部４５はスピーカ４３からの出力音量を下げる制御をするとともに、映像処理部４９を介してモニタ４４に音量が下がる旨の案内５１を出力し表示する。
【００２７】
これにより、図５に示すように、出力音量が下がることを視覚で客Ｐ２に案内することができるので、急な音量の低下により客Ｐ２が困惑することを防ぐことができる。なお、音量が下がること以外にも受付から連絡されている旨の案内もモニタ４４から表示できれば、よりスムーズに客Ｐ２がインターホンの呼び出しを知ることができるので好適である。また、出力音量が低下している状態が継続している間は案内５１の表示も継続する構成とすると、客Ｐ２が状態を容易に把握できるので望ましい。そして、子機２から終話通知を受け出力音量の回復が行われると同時に案内５１の表示も終了する。
【００２８】
上記モニタ４４を利用して音量レベルを下げることを客Ｐ２に案内する構成に加えて、音量レベルを下げるタイミングを変化させる構成とすることもできる。図６に示すように、子機３の通知部３５からカラオケ装置４の音量調整部４５に着信通知がされると、音量調整部４５は映像処理部４９を介してモニタ４４に音量が下がる旨の案内５１を出力し表示する。一方、スピーカ４３からの出力音量を下げる制御は一定時間が経過した後に実施する。これにより、客Ｐ２はモニタ４４に表示された案内５１により出力音量が下がることを予め知ることができるので、カラオケ音量が突然低下したとの印象を受けることを軽減することができる。着信通知受領から出力音量を下げるまでの時間は３秒程度が好ましい。
【００２９】
カラオケ装置４からの出力音量を下げる制御は、子機３から親機２に対する通話の発信の際にも有用である。図７に示すように、子機３の受話器を取ってフックボタン３４をフックアップすることで親機２の呼出が開始される。同時に子機３の通知部３５からカラオケ装置４の音量調整部４５に発信通知がされる。発信通知を受けた音量調整部４５はスピーカ４３からの出力音量を下げる制御をし、フックボタン３４のフックオンにより通話が終了し通知部３５から終話通知を受けるまで出力音量を下げた状態を維持し、その後出力音量を回復させる。子機３から親機２への通話する際においてもカラオケ装置４からの音量を下げることにより、カラオケルーム１０１内を通話しやすい状態にすることができる。なお、この子機３から親機２に対する通話の発信の際に出力音量を下げる制御をする場合であっても、モニタ４４への案内５１の表示の制御を併せて導入してもよい。
【００３０】
なお、本発明は、本発明の趣旨を逸脱しない範囲で、各部の構成を適宜に変更して実施することも可能である。例えば以下のような変更例が考えられる。
【００３１】
（１）子機３と親機２の通信状態をカラオケ装置４へ通知する通知部３５を親機２に設けることもできる。この場合、各カラオケルーム１０１のそれぞれのカラオケ装置４と親機２を通信線で接続する構成にしてもよい。この構成の場合、親機２の呼出ボタン２４を押した時に親機２に設けた通知部３５より着信通知がカラオケ装置４にされるので、カラオケ装置４の出力音量制御が子機３を経なくても行うことができる。
【００３２】
（２）本発明のカラオケ施設用インターホンシステム１によれば、親機２から子機３への呼出時からカラオケ装置４の出力音量が下げられ静かな状態とするので、受話器式の子機２に替えて、図８に示すように壁埋込型子機３０を採用することができる。これにより、より簡便で安価なシステムの構成を図ることができる。
【符号の説明】
【００３３】
１  カラオケ施設用インターホンシステム
２  親機
３  子機
４  カラオケ装置
２１，３１，４１  ＣＰＵ
２２，３２，４２  マイク
２３，３３，４３  スピーカ
２４  呼出ボタン
２５  着信表示灯
２６，３６，３７，４６  インターフェイス
３０  壁埋込型子機
３４  フックボタン
３５  通知部
４４  モニタ
４５  音量調節部
４７  操作部
４８  通信部
４９  映像処理部
５０  メモリ
５１  案内
１００  カラオケ施設
１０１  カラオケルーム
１０２  受付
Ｐ１  管理者
Ｐ２  客
【図１】
2020167543.tif 000003
【図２】
2020167543.tif 000004
【図３】
2020167543.tif 000005
【図４】
2020167543.tif 000006
【図５】
2020167543.tif 000007
【図６】
2020167543.tif 000008
【図７】
2020167543.tif 000009
【図８】
2020167543.tif 000010